(57)【要約】【課題】  製造工程の簡素化および製造コストを削減することができるより高品質の鍵盤楽器の鍵盤装置を提供する。【解決手段】  合成樹脂の成形品で構成された筬３２と、筬３２の前後方向の前部および中央にそれぞれ左右方向に並ぶように設けられた複数のフロントピン６およびバランスピン７と、木材によって構成され、前後方向の中央にバランスピン孔３ｅを有する複数の鍵３と、金属によって構成され、筬３２の剛性を補強するためにバランスピン６付近およびフロントピン７付近にそれぞれ設けられた第１および第２補強部材３８、３４ａと、を備え、複数の鍵３は、バランスピン孔３ｅにバランスピン６が係合し、且つフロントピン７によって左右方向の振れを阻止された状態で、筬３２に揺動自在に支持されている。【選択図】  図２
2006039253.tif 000002
【特許請求の範囲】
【請求項１】
合成樹脂の成形品で構成された筬と、
当該筬の前後方向の前部および中央にそれぞれ左右方向に並ぶように設けられた複数のフロントピンおよびバランスピンと、
木材によって構成され、前後方向の中央にバランスピン孔を有する複数の鍵と、
金属によって構成され、前記筬の剛性を補強するために前記バランスピン付近に設けられた第１補強部材と、を備え、
前記複数の鍵は、前記バランスピン孔に前記バランスピンが係合し、且つ前記フロントピンによって左右方向の振れを阻止された状態で、前記筬に揺動自在に支持されていることを特徴とする鍵盤楽器の鍵盤装置。
【請求項２】
前記筬の前記フロントピン付近に設けられた第２補強部材をさらに備えていることを特徴とする請求項１に記載の鍵盤楽器の鍵盤装置。
【請求項３】
前記第１および第２補強部材は、左右方向に連続的に延びていることを特徴とする請求項２に記載の鍵盤楽器の鍵盤装置。
【請求項４】
前記筬は、筬本体と、当該筬本体の前後方向の中央に左右方向に延びるように設けられた筬中を有し、
前記複数のバランスピンは、当該筬中に形成された複数のバランスピン用凹部にそれぞれ圧入され、取り付けられていることを特徴とする請求項１ないし３のいずれかに記載の鍵盤楽器の鍵盤装置。
【請求項５】
前記筬は、前記筬本体の前部に左右方向に延びるように設けられた筬前をさらに有し、
前記複数のフロントピンは、前記筬前に形成された複数のフロントピン用凹部にそれぞれ圧入され、取り付けられていることを特徴とする請求項４に記載の鍵盤楽器の鍵盤装置。
【請求項６】
前記筬は、ハンマー支持部をさらに有し、
前記複数の鍵ごとに設けられ、前記ハンマー支持部に回動自在に支持され、対応する前記鍵の押鍵に伴って回動する複数のハンマーをさらに備えていることを特徴とする請求項１ないし５のいずれかに記載の鍵盤楽器の鍵盤装置。
【請求項７】
前記筬は、鍵盤枕取付け部をさらに有し、
当該鍵盤枕取付け部に取り付けられ、前記鍵が当接することにより、当該鍵の離鍵位置を定める鍵盤枕をさらに備え、
前記鍵盤枕取付け部には、前記鍵盤枕を前記筬の所定位置に係止した状態で位置決めするための凹部および凸部の少なくとも一方が形成されていることを特徴とする請求項１ないし６のいずれかに記載の鍵盤楽器の鍵盤装置。
【請求項８】
前記筬は、鍵スイッチ取付け部をさらに有し、
当該鍵スイッチ取付け部に取り付けられ、対応する前記鍵の押鍵に伴い、当該鍵の押鍵情報を検出するための鍵スイッチをさらに備え、
前記鍵スイッチ取付け部には、前記鍵スイッチを前記筬の所定位置に係止した状態で位置決めするための凹部および凸部の少なくとも一方が形成されていることを特徴とする請求項１ないし７のいずれかに記載の鍵盤楽器の鍵盤装置。
【請求項９】
前記筬は、左右方向に並設された複数の前記筬で構成され、当該複数の筬を互いに連結する連結部材をさらに備えていることを特徴とする請求項１ないし８のいずれかに記載の鍵盤楽器の鍵盤装置。
【請求項１０】
保形性を有する棚板と、
合成樹脂の成形品で構成され、左右方向に延びるように前記棚板に直接、設けられた筬前および筬中と、
当該筬前および筬中にそれぞれ左右方向に並ぶように設けられた複数のフロントピンおよびバランスピンと、
木材によって構成され、前後方向の中央にバランスピン孔を有する複数の鍵と、
を備え、
前記複数の鍵は、前記バランスピン孔に前記バランスピンが係合し、且つ前記フロントピンによって左右方向の振れを阻止された状態で、前記筬中に揺動自在に支持されていることを特徴とする鍵盤楽器の鍵盤装置。
【発明の詳細な説明】
【技術分野】
【０００１】
本発明は、鍵盤楽器の鍵盤装置に関し、特に、棚板に設けられ、鍵盤などの構成部品を支持するのに用いられる鍵盤楽器の筬に関する。
【背景技術】
【０００２】
従来の鍵盤楽器の鍵盤装置として、例えば特許文献１に開示されたものが知られている。この鍵盤装置は、棚板上に設けられた筬と、この筬に載置された多数の鍵などを備えている。筬は、左右方向にそれぞれ延びる筬前、筬中および筬後と、前後方向にそれぞれ延びる両端部の左右一対の筬妻、およびこれらの内側の３つの中束とを有しており、これらの構成部品は、互いに連結され、組み立てられていて、いずれも合成樹脂の成形品で構成されている。
【０００３】
また、筬中には多数のバランスピンが立設されており、各バランスピンに各鍵の中央部に形成されたバランスピン孔が係合することによって、鍵が揺動自在に支持されている。また、筬前には多数のフロントピンが立設されており、鍵の下面に形成されたフロントピン孔が係合することによって、鍵の横振れが防止される。このような鍵盤装置によれば、筬が合成樹脂の成形品で構成されていることにより、寸法精度の高い構成部品を容易に得ることができ、それにより各構成部品の仕上げ作業が不用になるため、組立て工程が簡素化されることによって、製造コストを削減することができる。また、経時的なあるいは乾湿などに対する保形性が高いので、反りなどの変形を抑制することができる。
【０００４】
しかし、このような筬を備えた鍵盤装置には、以下のような問題がある。すなわち、前述したように、筬は、複数の部品によって構成されており、部品点数が多いとともに、これらを相互に連結しなければならず、その分、組立て工数が多くなり、製造コストが上昇してしまう。また、筬は、複数の部品を組み立てたものであるので、組立て誤差が生じるおそれがあり、それにより鍵などの取付け位置の調整作業に時間を要し、やはり製造コストの上昇を招くおそれがある。
【０００５】
本発明は、以上のような課題を解決するためになされたものであり、製造工程の簡素化および製造コストを削減することができるより高品質の鍵盤楽器の鍵盤装置を提供することを目的としている。
【０００６】
【特許文献１】特開２００３−１７７７３９号公報  （第３，４頁、第１図）
【発明の開示】
【課題を解決するための手段】
【０００７】
この目的を達成するために、本発明の請求項１に係る発明は、合成樹脂の成形品で構成された筬と、筬の前後方向の前部および中央にそれぞれ左右方向に並ぶように設けられた複数のフロントピンおよびバランスピンと、木材によって構成され、前後方向の中央にバランスピン孔を有する複数の鍵と、金属によって構成され、筬の剛性を補強するためにバランスピン付近に設けられた第１補強部材と、を備え、複数の鍵は、バランスピン孔にバランスピンが係合し、且つフロントピンによって左右方向の振れを阻止された状態で、筬に揺動自在に支持されていることを特徴とする。
【０００８】
この鍵盤装置によれば、筬は合成樹脂の成形品で構成されており、各鍵の中央に形成されたバランスピン孔が、筬のバランスピンに係合することによって、複数の鍵が、筬に揺動自在に支持されている。それにより、押鍵に伴い、鍵が上下方向に揺動する。また、鍵は、フロントピンによって左右方向の振れを阻止された状態になっている。また、筬のバランスピン付近には、左右方向に延びる金属製の第１補強部材が設けられており、それにより、筬の特にバランスピン付近の剛性が補強されている。
【０００９】
このような構成によれば、筬が合成樹脂の成形品で構成されていることにより、高い寸法精度を容易に得ることができるとともに、筬には、湿度変化などの環境変化による反りや撓みなどの変形がほとんど生じない。また、第１補強部材によってバランスピン付近の筬の剛性が補強されているので、鍵が係合するバランスピンを曲げることによって鍵の取付け位置を微調整する際に、筬の変形が抑制され、バランスピンが強固に支持されることによって、バランスピン相互の位置関係が保持される。したがって、複数の鍵の位置調整を、容易かつ正確に行うことができる。以上のように、より高品質の鍵盤装置を得ることができるとともに、製造工程を簡素化することができる。
【００１０】
請求項２に係る発明は、請求項１に記載の鍵盤楽器の鍵盤装置において、筬のフロントピン付近に設けられた第２補強部材をさらに備えていることを特徴とする。
【００１１】
この鍵盤装置によれば、筬のフロントピン付近には、金属製の第２補強部材が設けられており、それにより、フロントピン付近においても、筬の剛性が補強される。したがって、フロントピンを曲げることにより、鍵の位置調整を行う際、フロントピン付近の筬の変形を抑制することができる。以上により、バランスピンだけでなく、フロントピン相互の位置関係もまた保持されるので、鍵の位置調整をより正確に行うことができる。
【００１２】
請求項３に係る発明は、請求項２に記載の鍵盤楽器の鍵盤装置において、第１および第２補強部材は、左右方向に連続的に延びていることを特徴とする。
【００１３】
この鍵盤装置によれば、第１および第２補強部材が、左右方向に連続的に延びているので、複数のバランスピンおよびフロントピンを左右方向に曲げることにより、補強部材による鍵間の位置関係を調整する際、筬の補強効果を有効に作用させることができる。それにより、鍵間の位置調整をより容易かつ正確に行うことができる。
【００１４】
請求項４に係る発明は、請求項１ないし３のいずれかに記載の鍵盤楽器の鍵盤装置において、筬は、筬本体と、筬本体の前後方向の中央に左右方向に延びるように設けられた筬中を有し、複数のバランスピンは、筬中に形成された複数のバランスピン用凹部にそれぞれ圧入され、取り付けられていることを特徴とする。
【００１５】
この鍵盤装置によれば、筬は、筬本体、およびその前後方向の中央において左右方向に延びる筬中を有しており、筬中には、バランスピン用凹部が一体に形成されている。そして、このバランスピン用凹部に圧入されることによって、バランスピンが取り付けられている。それにより、例えば筬本体および筬中を一体成形した場合には、これらを別個に製造し、組み立てた場合と異なり、組立て誤差が生じるおそれがないので、筬全体としての寸法精度を向上させることができ、より高品質の鍵盤装置を得ることができる。また、複数のバランスピン用凹部が一体成形されていることにより、バランスピンを精度よく位置決めできる。また、バランスピンは、筬中のバランスピン用凹部に圧入するだけで取り付けられるので、鍵盤装置の組立てを、より簡素化することができる。このように、筬の部品点数を削減すること、および組立てを簡素化することができ、これらにより、鍵盤装置の製造コストを削減することができる。
【００１６】
請求項５に係る発明は、請求項１ないし４のいずれかに記載の鍵盤楽器の鍵盤装置において、筬は、筬本体の前部に左右方向に延びるように設けられた筬前をさらに有し、複数のフロントピンは、筬前に形成された複数のフロントピン用凹部にそれぞれ圧入され、取り付けられていることを特徴とする。
【００１７】
この鍵盤装置によれば、筬本体の前部には、左右方向に延びる筬前が設けられており、筬前には、そのフロントピン用凹部に圧入されることによって、フロントピンが取り付けられている。それにより、筬前もまた、筬本体および筬中と一体成形されている場合には、筬全体としての寸法精度をより向上させることができる。また、バランスピンと同様に、フロントピンもまた精度よく位置決めすることができる。また、フロントピンも、筬前のフロントピン用凹部に圧入するだけで取り付けられるので、鍵盤装置の組立てを、より簡素化することができ、これらによって、より高品質の鍵盤装置を得ることができるとともに、鍵盤装置の製造コストをより削減することができる。
【００１８】
請求項６に係る発明は、請求項１ないし５のいずれかに記載の鍵盤楽器の鍵盤装置において、筬は、ハンマー支持部をさらに有し、複数の鍵ごとに設けられ、ハンマー支持部に回動自在に支持され、対応する鍵の押鍵に伴って回動する複数のハンマーをさらに備えていることを特徴とする。
【００１９】
この鍵盤装置によれば、筬は、ハンマー支持部を一体に有しており、このハンマー支持部に鍵ごとに設けられたハンマーが回動自在に支持されていて、ハンマーは、押鍵により鍵が揺動するのに伴って回動する。このように、ハンマー支持部もまた、筬に設けられ、すなわち合成樹脂の成形品で構成されていることにより、ハンマーの取付け精度を向上させることができ、より高品質の鍵盤装置を得ることができる。
【００２０】
請求項７に係る発明は、請求項１ないし６のいずれかに記載の鍵盤楽器の鍵盤装置において、筬は、鍵盤枕取付け部をさらに有し、鍵盤枕取付け部に取り付けられ、鍵が当接することにより、鍵の離鍵位置を定める鍵盤枕をさらに備え、鍵盤枕取付け部には、鍵盤枕を筬の所定位置に係止した状態で位置決めするための凹部および凸部の少なくとも一方が形成されていることを特徴とする。
【００２１】
この鍵盤装置によれば、筬は、鍵盤枕取付け部を一体に有しており、この鍵盤枕取付け部に鍵盤枕が取り付けられている。この鍵盤枕取付け部は、凹部および／または凸部を有しており、鍵盤枕は、これらにより係止され、その取付け位置が精度よく定められる。以上のように、鍵盤枕を位置決めするための凹部および／または凸部が、筬に一体に設けられているので、鍵盤枕を精度よく位置決めでき、その結果、鍵の離鍵位置を、正確に定めることができる。また、鍵盤枕取付け部に係止させるだけで、鍵盤枕を取り付けることができ、鍵盤装置の組立てを、より簡素化することができる。
【００２２】
請求項８に係る発明は、請求項１ないし７のいずれかに記載の鍵盤楽器の鍵盤装置において、筬は、鍵スイッチ取付け部をさらに有し、鍵スイッチ取付け部に取り付けられ、対応する鍵の押鍵に伴い、鍵の押鍵情報を検出するための鍵スイッチをさらに備え、鍵スイッチ取付け部には、鍵スイッチを筬の所定位置に係止した状態で位置決めするための凹部および凸部の少なくとも一方が形成されていることを特徴とする。
【００２３】
この鍵盤装置によれば、筬は、鍵スイッチ取付け部を一体に有しており、この鍵スイッチ取付け部に鍵スイッチが取り付けられていて、鍵の押鍵に伴い、鍵スイッチによって演奏音を生成するための押鍵情報が検出される。また、鍵スイッチ取付け部は、凹部および／または凸部を一体に有しており、鍵スイッチは、これらにより係止され、その取付け位置が精度よく定められる。以上のように、鍵スイッチを位置決めするための凹部および／または凸部が筬に一体に設けられているので、鍵スイッチを精度よく位置決めでき、その結果、押鍵情報を最適なタイミングで検出でき、それにより最適な発音タイミングを得ることができる。また、鍵スイッチ取付け部に係止させるだけで、鍵スイッチを位置決めでき、鍵盤装置の組立てを、より簡素化することができる。
【００２４】
請求項９に係る発明は、請求項１ないし８のいずれかに記載の鍵盤楽器の鍵盤装置において、筬は、左右方向に並設された複数の筬で構成され、複数の筬を互いに連結する連結部材をさらに備えていることを特徴とする。
【００２５】
この鍵盤装置によれば、複数の筬が左右方向に並設されており、これらは、連結部材によって互いに連結されている。それにより、複数の筬同士の位置関係が確実に保持されるので、複数の筬の一体性が向上することによって、鍵盤装置の組立て精度を高めることができる。
【００２６】
請求項１０に係る発明は、保形性を有する棚板と、合成樹脂の成形品で構成され、左右方向に延びるように棚板に直接、設けられた筬前および筬中と、筬前および筬中にそれぞれ左右方向に並ぶように設けられた複数のフロントピンおよびバランスピンと、木材によって構成され、前後方向の中央にバランスピン孔を有する複数の鍵と、を備え、複数の鍵は、バランスピン孔にバランスピンが係合し、且つ前記フロントピンによって左右方向の振れを阻止された状態で、前記筬中に揺動自在に支持されていることを特徴とする。
【００２７】
この鍵盤装置によれば、保形性を有する棚板に、合成樹脂の成形品で構成され、左右方向に延びる筬前および筬中が、直接、設けられている。また、各鍵は、筬前に設けられたバランスピンによって左右方向の振れを阻止されるとともに、筬中に設けられたバランスピンがバランスピン孔に係合することによって、筬中に揺動自在に支持されていて、バランスピンにより、鍵の取付け位置が微調整される。
【００２８】
このような構成によれば、筬前および筬中が合成樹脂で構成されていること、および棚板が保形性を有していることにより、これらに変形が生じ難いため、筬前および筬中の互いの位置関係が保持され、ひいては筬中に設けられた鍵同士の位置関係もまた、保持される。それにより、バランスピンによる鍵の位置調整を、容易かつ正確に行うことができる。また、筬前および筬中が棚板に直接、設けられていることにより、筬の構成が従来よりも大幅に簡略化されており、それにより部品点数および組立て工数を削減でき、鍵盤装置の製造コストを削減することができる。
【発明を実施するための最良の形態】
【００２９】
以下、本発明の好ましい実施形態を、図面を参照しながら詳細に説明する。図１は、本発明の第１実施形態による電子ピアノの鍵盤装置を、離鍵状態において示している。この鍵盤装置１は、シャーシ２と、シャーシ２に左右方向（図１の奥行方向）に並ぶように取り付けられた多数の鍵３と、各鍵３の押鍵に伴って回動する多数のハンマー４（各１つのみ図示）などを備えている。
【００３０】
シャーシ２は、筬９および複数のリブ２ａ（１つのみ図示）などによって構成されている。筬９は、例えば射出成形により一体成形された合成樹脂の成形品で構成され、鍵盤装置１の全音域にわたって平面的に延びていて、筬本体１０、筬中１１および筬前１２を有している。筬本体１０は、基本的には平板状のものであり、筬中１１は、筬本体１０の前後方向（図１の左右方向）の中央に設けられていて、上方に突出するとともに左右方向にわたって延びている。また、筬前１２は、筬本体１０の前端部に設けられており、下方に突出するとともに左右方向にわたって延びている。
【００３１】
また、筬中１１には、多数のバランスピン用凹部１１ａ（１つのみ図示）が、左右方向に所定の間隔で形成されており、各バランスピン用凹部１１ａには、後述するバランスピン６が圧入されることにより立設されている。また、筬前１２の前端部および後端部には、白鍵３ａおよび黒鍵３ｂ用の多数のフロントピン用凹部１２ａ（前後１つずつのみ図示）が、白鍵３ａおよび黒鍵３ｂにそれぞれ対応する位置に、左右方向に並んで形成されている。各フロントピン用凹部１２ａには、後述するフロントピン７が圧入されることにより立設されている。
【００３２】
また、リブ２ａは、例えばプレスにより打抜きおよび折曲げ加工した鉄板によって構成されており、例えばオクターブごとに筬本体１０の前後方向にわたって延びるように設けられていて、筬本体１０の下面にねじ止めされている。それにより、筬９の特に前後方向の剛性が補強される。以上のようなシャーシ２は、レール２ｂを介して棚板５にねじ５ａによって水平に固定されている。
【００３３】
鍵３は、白鍵３ａと黒鍵３ｂから成り、それぞれ木材で構成された断面矩形の鍵本体３ｃと、その上面前部に接着された合成樹脂製の鍵カバー３ｄなどで構成されている。また、鍵本体３ｃの前後方向の中央には、バランスピン孔３ｅが形成されている。このバランスピン孔３ｅがバランスピン６に係合しており、それにより、鍵３は、筬中１１に揺動自在に支持されている。また、鍵本体３ｃの前端部には、下方に開放するフロントピン孔３ｆが形成されている。白鍵３ａおよび黒鍵３ｂのフロントピン孔３ｆ，３ｆが、前側および後側のフロントピン７にそれぞれ係合しており、それにより、鍵３の左右方向の振れが阻止されている。また、バランスピン６およびフロントピン７の根元付近を、それぞれ所望の方向に折り曲げることにより、鍵３の取付け位置が微調整される。
【００３４】
また、鍵３の後端部の下方には、左右方向に延びる鍵盤枕８が設けられている。この鍵盤枕８は、例えば、発泡ウレタンにより構成されており、例えば両面テープによって筬本体１０に取り付けられている。各鍵３は、その下面の後端部が鍵盤枕８に当接することにより、その離鍵位置が規定される。
【００３５】
ハンマー４は、鍵３ごとに設けられ、棒状の合成樹脂のハンマー本体４ａと、その両側面の前部に取り付けたおもり板４ｂ（１つのみ図示）を備えている。ハンマー本体４ａの後端部には、後方に開放する円弧状の軸穴４ｃが形成されており、ハンマー４は、この軸穴４ｃが後述のハンマーレール２１の支点軸部２１ｃに係合することによって、ハンマーレール２１に回動自在に支持されている。また、ハンマー本体４ａには、その下面の軸穴４ｃ付近の位置に調整ねじ４ｄが進退自在に取り付けられており、ハンマー４は、この調整ねじ４ｄを介して、対応する鍵３の上面後端部に載置されている。
【００３６】
ハンマーレール２１は、シャーシ２の後方に隣接して設けられており、中空のアルミニウムの１つの押出成形品で構成され、すべてのハンマー４にわたるように左右方向に延びていて、ねじ５ｂで棚板５に固定されている。ハンマーレール２１は、上下方向に延びるハンマー支持部２１ａと、その上端から前側上方に斜めに延びるストッパ取り付け部２１ｂと、ハンマー支持部２１ａの上部から前方に突出する前述した支点軸部２１ｃなどを一体に有している。
【００３７】
ストッパ取付け部２１ｂの先端部には、ハンマー４の上方への回動を規制するためのストッパ１４が設けられている。このストッパ１４もすべてのハンマー４にわたるように左右方向に延びており、発泡ウレタンなどで構成されている。さらに、ハンマー４の上方には、各鍵３の押鍵情報を検出するための鍵スイッチ１５が設けられている。鍵スイッチ１５は、鍵３の押鍵に伴い、その押鍵情報を検出するためのものであり、プリント基板１６と、このプリント基板１６に鍵３ごとに取り付けられたゴムスイッチから成るスイッチ本体１７で構成されている。鍵スイッチ１５は、プリント基板１６の後端部をストッパ取付け部２１ｂの基端部に形成された係合凹部２１ｄに差し込んだ状態で、スペーサ１８を介し、ねじ２２によりストッパ取付け部２１ｂに取り付けられている。
【００３８】
以上のような鍵盤装置１によれば、筬９が合成樹脂の成形品で構成されていることにより、高い寸法精度を容易に得ることができるとともに、筬９には、湿度変化などの環境変化による反りや撓みなどの変形がほとんど生じない。それにより、より高品質の鍵盤装置１を得ることができるとともに、製造工程を簡素化することができる。
【００３９】
以上のような鍵盤装置１によれば、筬９が合成樹脂の成形品で構成されていることにより、筬９には、湿度変化などの環境変化による反りや撓みなどの変形がほとんど生じないので、高い寸法精度を容易に得ることができる。また、筬９の筬本体１０、筬中１１および筬前１１が一体成形されていることにより、これらを別個に製造し、組み立てた場合と異なり、組立て誤差が生じるおそれがないので、筬９全体としての寸法精度をより向上させることができ、より高品質の鍵盤装置１を得ることができるとともに、製造工程を簡素化することができる。
【００４０】
また、複数のバランスピン用凹部１１ａおよびフロントピン用凹部１２ａが一体成形されていることにより、バランスピン６およびフロントピン７を精度よく位置決めできる。また、バランスピン６およびフロントピン７は、バランスピン用凹部１１ａおよびフロントピン用凹部１１ｂにそれぞれ圧入するだけで取り付けられるので、鍵盤装置１の組立てを、より簡素化することができる。このように、筬９の部品点数を削減すること、および組立てを簡素化することができ、これらにより、鍵盤装置１の製造コストを削減することができる。
【００４１】
図２は、本発明の第２実施形態による電子ピアノの鍵盤装置を示している。この鍵盤装置３０は、前述した第１実施形態の鍵盤装置１と近似した構成を有しており、以下、共通の構成部品については同じ符号を用い、第１実施形態との相違点を中心として説明する。
【００４２】
第１実施形態では、筬９とハンマーレール２１が別体であるのに対し、本実施形態では、筬３２と、ハンマーレール２１に相当する基部３９が一体に設けられている。本実施形態のシャーシ３１は、このような構成の複数の筬３２と、各筬３２に設けられたリブ３３（各１つのみ図示）と、前側のレール３４ａ（第２補強部材、連結部材）および後側のレール３４ｂ（連結部材）などによって構成されている。
【００４３】
筬３２は、合成樹脂の成形品で構成されており、例えば射出成形により一体成形されている。また、筬３２は、例えばオクターブごとに設けられており、筬本体３５、筬中３６、筬前３７、および基部３９などを有している。第１実施形態と同様に、筬本体３５は、基本的には平板状のものであり、筬中３６は、筬本体３５の前後方向（図２の左右方向）の中央に設けられていて、上方に突出するとともに左右方向にわたって延びている。また、筬前３７は、筬本体３５の前端部に設けられており、下方に突出するとともに左右方向にわたって延びている。
【００４４】
筬中３６には、第１実施形態と同様に、左右方向に所定の間隔で多数のバランスピン用凹部３６ａ（１つのみ図示）が形成されており、バランスピン７は、各バランスピン用凹部３６ａに圧入されることにより立設されている。また、筬前３７にも、白鍵３ａ用および黒鍵３ｂ用の多数のフロントピン用凹部３７ａが形成されており、フロントピン７は、各フロントピン用凹部３７ａに圧入されることにより立設されている。
【００４５】
リブ３３は、例えばプレスにより打抜きおよび折曲げ加工した鉄板によって構成され、各筬３２の筬本体３５の下面にねじ止めされており、その前後方向にわたって延びている。また、筬中３６には、前後２つの補強部材３８，３８（第１補強部材、連結部材）が設けられている。各補強部材３８は、金属によって、例えば折曲げ加工した鉄板によって構成されており、Ｌ字形の断面形状を有していて、並設された複数の筬３２の左右方向にわたって延びている。このような補強部材３８は、筬中３６に固定されており、それにより、筬中３６付近の剛性を補強している。
【００４６】
基部３９は、筬本体３５の後端部から上方に延びており、中央のハンマー支持部４０と、その上側および下側にそれぞれ配置された鍵スイッチ取付け部４１および鍵盤枕取付け部４２などを有している。ハンマー支持部４０には、ハンマー４３を取り付けるための凹部４０ａ、および前方に開放する軸穴４０ｂが、鍵３ごとに形成されている。ハンマー４３は、第１実施形態のハンマー４と異なり、その後端部に左右に突出する支点軸部４３ａを有しており、この支点軸部４３ａが軸穴４０ｂに係合することによって、ハンマー支持部４０に回動自在に支持されている。
【００４７】
鍵スイッチ取付け部４１の下端部には、左右方向に延びる係止溝４１ａ（凹部）が形成されている。また、基部３９の上端部には、前方に突出するストッパレール４４が、ねじ４４ａによって固定されている。このストッパレール４４は、複数の筬３２の左右方向にわたって延びており、その前端部には、ハンマー４３の上方への回動を規制するためのストッパ１４が設けられている。鍵スイッチ１５は、その後端部が係止溝４１ａに挿入されることにより係止されるとともに、前端部が、ストッパ１４のすぐ後方のスペーサ４４ｃを介して、ストッパレール４４に固定されている。
【００４８】
また、鍵盤枕取付け部４２の下端部には、前方に突出するとともに左右方向に延びる凸部４２ａが形成されている。また、筬本体３５の上面には、凸部４２ａよりも前方の位置に所定の間隔を隔てて凸部３５ａが形成されており、この凸部３５ａもまた左右方向に延びている。鍵盤枕８は、凸部３５ａ，４２ａの間に、例えば両面テープによって取り付けられている。
【００４９】
また、前後のレール３４ａ，３４ｂは、金属製のものであり、並設された複数の筬３２の左右方向にわたってそれぞれ延びている。前側のレール３４ａは、コ字状の断面形状を有しており、その上部が、筬前３７よりも前側において、筬本体３５の下面に沿って延びていて、リブ３３との間に挟まれた状態で、リブ３３とともにねじ止めされている。それにより、筬前３７付近の剛性を補強している。一方、後側のレール３４ｂは、Ｌ字形の断面形状を有しており、複数の筬３２の後端部にねじ止めされている。
【００５０】
以上のように、複数の筬３２は、前述した補強部材３８，３８および前後のレール３４ａ，３４ｂによって、左右方向に並設された状態で一体に連結されている。また、レール３４ａ，３４ｂは、複数のねじ５ａ，５ｂ（ともに１つのみ図示）によって棚板５にそれぞれ固定されており、それにより、鍵盤装置３０は、棚板５に水平に固定されている。他の構成は、前述した第１実施形態の鍵盤装置１と同様である。
【００５１】
以上のような鍵盤装置３０によれば、前述した第１実施形態の鍵盤装置１と同様の効果を得ることができる。また、補強部材３８によって筬３２のバランスピン６付近の剛性が補強されているので、バランスピン６を曲げることによって、鍵３の取付け位置を微調整する際に、筬３２の変形が抑制され、バランスピン６が強固に支持される。また、筬３２のフロントピン７付近には、金属製のレール３４ａが設けられていることにより、フロントピン７付近においても、筬３２の剛性が補強されているので、フロントピン７を曲げることにより、鍵３の位置調整を行う際、筬３２のフロントピン７付近の変形を抑制することができる。      
【００５２】
また、補強部材３８およびレール３４ａが、左右方向に連続的に延びているので、筬３２の補強効果を有効に作用させることができる。それにより、鍵３間の位置調整をより容易かつ正確に行うことができる。
【００５３】
また、筬３２は、ハンマー支持部４０を一体に有しており、このハンマー支持部４０もまた合成樹脂の成形品で構成されている。それにより、ハンマー４３の取付け精度を向上させることができ、より高品質の鍵盤装置１を得ることができる。また、筬３２は、鍵盤枕取付け部４２を一体に有しており、鍵盤枕８は、この鍵盤枕取付け部４２の凸部４２ａ、および筬本体３５と一体の凸部３５ａにより係止され、その取付け位置が精度よく定められる。それにより、鍵盤枕８を精度よく位置決めでき、その結果、鍵３の離鍵位置を正確に定めることができる。また、凸部４２ａ，３５ａに係止させるだけで鍵盤枕８を取り付けることができるので、鍵盤装置３０の組立てを、より簡素化することができる。
【００５４】
また、筬３２は、鍵スイッチ取付け部４１を一体に有しており、この鍵スイッチ取付け部４１に設けられた係止溝４１ａに鍵スイッチ１５が係止され、取り付けられていることにより、その取付け位置が精度よく定められる。それにより、鍵スイッチ１５を精度よく位置決めでき、その結果、押鍵情報を最適なタイミングで検出でき、それにより最適な発音タイミングを得ることができる。また、係止溝４１ａに係止させるだけで、鍵スイッチ１５を位置決めでき、鍵盤装置３０の組立てを、より簡素化することができる。
【００５５】
さらに、左右方向に並設された複数の筬３２は、補強部材３８，３８およびレール３４ａ，３４ｂによって互いに連結されている。それにより、複数の筬３２同士の位置関係が確実に保持されるので、複数の筬３２の一体性が向上することによって、鍵盤装置３０の組立て精度を高めることができる。
【００５６】
図３は、本発明の第３実施形態による電子ピアノの鍵盤装置を示している。この鍵盤装置５０は、前述した第２実施形態の鍵盤装置３０と近似した構成を有しており、以下、共通の構成部品については同じ符号を用い、第２実施形態との相違点を中心として説明する。
【００５７】
第２実施形態の鍵盤装置３０では、鍵３は、シャーシ３１を介して棚板５に設けられているのに対し、本実施形態では、シャーシ３１の構成が大幅に簡素化されている。すなわち、筬中本体３５およびリブ３３が省略されており、筬中５２、筬前５３および基部３９は、棚板５１に直接、取り付けられている。
【００５８】
棚板５１は、例えばＭＤＦによって構成されており、それにより、湿度変化などの環境変化に対し、高い保形性を有している。この棚板５１の前後方向の中央に筬中５２が、前端部に筬前５３が、後端部に基部３９が、それぞれ直接、固定されている。
【００５９】
また、筬中５２および筬前５３にも、第２実施形態の筬中３６および筬前３７と同様に、多数のバランスピン用凹部５２ａおよびフロントピン用凹部５３ａが形成されており、これらにバランスピン６およびフロントピン７が、それぞれ圧入されることにより立設されている。また、本実施形態の鍵盤枕取付け部５４には、その前部に左右方向にわたって延びる溝５４ａ（凹部）が形成されており、この溝５４ａに鍵盤枕８が取り付けられている。
【００６０】
以上のような鍵盤装置５０によれば、保形性を有する棚板５１に、合成樹脂の成形品で構成され、左右方向に延びる筬前５３および筬中５２が、直接、設けられており、湿度変化などの環境変化により、これらに変形が生じ難いため、筬前５３および筬中５２の互いの位置関係が保持され、筬中５２に設けられた鍵３同士の位置関係もまた、保持される。それにより、バランスピン６およびフロントピン７による鍵３の位置調整を、容易かつ正確に行うことができる。また、筬前５３および筬中５２が棚板５１に直接、設けられていることにより、筬の構成が従来よりも大幅に簡略化されており、それにより部品点数および組立て工数を削減でき、鍵盤装置５０の製造コストを削減することができる。
【００６１】
なお、本発明は、説明した各実施形態に限定されることなく、種々の態様で実施することができる。例えば、各実施形態では、バランスピンおよびフロントピンは、圧入されることにより筬中および筬前にそれぞれ取り付けられているが、これに限定されることなく、例えば、インサート成形やねじ込みにより取り付けてもよい。また、第２実施形態では、係止溝４１ａおよび凸部４２ａを設けることにより、鍵スイッチ１５および鍵盤枕８をそれぞれ係止しているが、これに限定されることなく、両者１５、８を係止するための凹部および凸部を、適宜設定することが可能である。また、第３実施形態では、棚板として、ＭＤＦで構成したものを用いているが、これに限定されることなく、他の保形性を有する材質、例えばパーティクルボード、金属板および合成樹脂などによって構成してもよい。
【００６２】
また、実施形態で示した各構成部品の材質などは、あくまで例示であり、他の適当な材質を採用することが可能である。さらに、実施形態は、本発明を電子ピアノに適用した例であるが、これに限定されることなく、他のタイプの鍵盤楽器にも適用することができる。その他、細部の構成を、本発明の趣旨の範囲内で適宜、変更することが可能である。
【図面の簡単な説明】
【００６３】
【図１】本発明の第１実施形態による鍵盤装置の側面図である。
【図２】本発明の第２実施形態による鍵盤装置の側面図である。
【図３】本発明の第３実施形態による鍵盤装置の側面図である。
【符号の説明】
【００６４】
１    鍵盤装置
３    鍵
３ｅ  バランスピン孔
３ｆ  フロントピン孔
４    ハンマー
６    バランスピン
７    フロントピン
８    鍵盤枕
９    筬
１０    筬本体
１１    筬中
１２    筬前
１５    鍵スイッチ
３０    鍵盤装置
３２    筬
３４ａ  レール（第２補強部材、連結部材）
３４ｂ  レール（連結部材）
３５    筬本体
３６    筬中
３６ａ  バランスピン用凹部
３７    筬前
３７ａ  フロントピン用凹部
３８    補強部材（第１補強部材、連結部材）
４０    ハンマー支持部
４１    鍵スイッチ取付け部
４１ａ  係止溝（凹部）
４２    鍵盤枕取付け部
４２ａ  凸部
４３    ハンマー
５０    鍵盤装置
５１    棚板
５２    筬中
５２ａ  バランスピン用凹部
５３    筬前
５３ａ  フロントピン用凹部
５４ａ  凹部
【図１】
2006039253.tif 000003
【図２】
2006039253.tif 000004
【図３】
2006039253.tif 000005